(57)【要約】【課題】透明の外観を有し、こぼれにくく、かつ、使用性に優れる液体洗浄剤組成物。【解決手段】（Ａ）成分：下記一般式（Ｉ）で表されるスルホコハク酸モノアルキルエステル若しくはスルホコハク酸ジアルキルエステル又はこれらの塩と、（Ｂ）成分：下記一般式（ＩＩ）で表されるアルキルグリコシド型ノニオン界面活性剤と、（Ｃ）成分：界面活性剤（ただし前記（Ａ）成分及び前記（Ｂ）成分を除く）と、（Ｄ）成分：カチオン化セルロースとを含有し、前記（Ａ）成分／前記（Ｄ）成分で表される質量比が４〜８０であり、２５℃における粘度が３０〜２５０ｍＰａ・ｓである、液体洗浄剤組成物。［化１］2018184516.tif 000010【選択図】なし【特許請求の範囲】
【請求項１】
（Ａ）成分：下記一般式（Ｉ）で表されるスルホコハク酸モノアルキルエステル若しくはスルホコハク酸ジアルキルエステル又はこれらの塩と、
（Ｂ）成分：下記一般式（ＩＩ）で表されるアルキルグリコシド型ノニオン界面活性剤と、
（Ｃ）成分：界面活性剤（ただし前記（Ａ）成分及び前記（Ｂ）成分を除く）と、
（Ｄ）成分：カチオン化セルロースと、を含有し、
前記（Ａ）成分／前記（Ｄ）成分で表される質量比が４〜８０であり、
２５℃における粘度が３０〜２５０ｍＰａ・ｓである、液体洗浄剤組成物。
【化１】
2018184516.tif 000009
［一般式（Ｉ）において、Ｒ１は、炭素数５〜１８のアルキル基、水素原子、又はＭ１を表し、Ｒ２は、炭素数１〜１８のアルキル基又は水素原子を表す。但し、Ｒ１とＲ２が同時に水素原子となる場合を除く。Ａ１、Ａ２は、それぞれ独立に炭素数２〜４のアルキレン基を表し、ｘ、ｙは、平均繰り返し数を表し、それぞれ独立に０〜６であり、Ｍ１は、無機又は有機の陽イオンを表す。］
Ｒ３−Ｏ−［Ｇ］ｚ・・・（ＩＩ）
［一般式（ＩＩ）において、Ｒ３は、炭素数８〜２０のアルキル基を表し、Ｇはグルコシド残基を表し、ｚは、糖の縮合度で、１〜５の数字を表す。］
【発明の詳細な説明】
【技術分野】
【０００１】
本発明は、液体洗浄剤組成物に関する。
【背景技術】
【０００２】
食器用洗剤やシャンプーを収容する容器として、スクイズ容器がある。スクイズ容器は、通常ヒンジキャップやプッシュプルキャップが装着される。スクイズ容器を使用する際は、容器を傾け、容器胴部を押して容器の内容物を吐出する。食器洗い中に、洗剤を継ぎ足し、洗浄作業を継続する場合、手が濡れていたり、内容物が容器胴部に付着していたりすると、スクイズ容器を持った手が滑り、容器を落としやすい。この場合、容器の内容物が意図せずこぼれて無駄に消費されてしまうことがある。
【０００３】
このような内容物のこぼれを防止するためには、内容物の流動性を低くすることが考えられる。例えば、特許文献１には、スルホコハク酸ジアルキルエステル、水溶性ポリマーを含有する洗剤組成物が提案されている。特許文献１の発明によれば、洗剤組成物の高粘度化が図られている。また、特許文献２には、特定の乳化物と所定の分子量を有する非イオン性水溶性高分子を含有するダイラタンシー組成物が提案されている。特許文献２の発明によれば、遅いせん断刺激には液体のように振る舞い、より速いせん断刺激に対しては、あたかも固体のような抵抗力を発揮する物性（ダイラタンシー性）を発現できる。
【先行技術文献】
【特許文献】
【０００４】
【特許文献１】特開昭５９−２０７９９５号公報
【特許文献２】特開２００７−２７７１１７号公報
【発明の概要】
【発明が解決しようとする課題】
【０００５】
しかしながら、特許文献１の洗剤は、高粘度であるため、内容物の流動性が低いが、内容物を吐出する際に容器胴部を強く押圧する必要があり、内容物を吐出しにくい（使用性に劣る）。特許文献２の組成物は、特定の乳化物を含有するため、液体の外観が透明ではなく、台所用洗剤としては好ましくない。
そこで本発明は、透明の外観を有し、こぼれにくく、かつ、使用性に優れる液体洗浄剤組成物を目的とする。
【課題を解決するための手段】
【０００６】
本発明者等は、鋭意検討を重ねた結果、特定の界面活性剤とカチオン化セルロースとを、特定の割合で組み合わせることで、透明の外観を有し、こぼれにくく、かつ、使用性に優れる液体洗浄剤組成物を見出し、本発明に至った。
【０００７】
すなわち、本発明は、以下の態様を有する。
［１］（Ａ）成分：下記一般式（Ｉ）で表されるスルホコハク酸モノアルキルエステル若しくはスルホコハク酸ジアルキルエステル又はこれらの塩と、（Ｂ）成分：下記一般式（ＩＩ）で表されるアルキルグリコシド型ノニオン界面活性剤と、（Ｃ）成分：界面活性剤（ただし前記（Ａ）成分及び前記（Ｂ）成分を除く）と、（Ｄ）成分：カチオン化セルロースとを含有し、前記（Ａ）成分／前記（Ｄ）成分で表される質量比が４〜８０であり、２５℃における粘度が３０〜２５０ｍＰａ・ｓである、液体洗浄剤組成物。
【０００８】
【化１】
2018184516.tif 000002
【０００９】
［一般式（Ｉ）において、Ｒ１は、炭素数５〜１８のアルキル基、水素原子、又はＭ１を表し、Ｒ２は、炭素数１〜１８のアルキル基又は水素原子を表す。但し、Ｒ１とＲ２が同時に水素原子となる場合を除く。Ａ１、Ａ２は、それぞれ独立に炭素数２〜４のアルキレン基を表し、ｘ、ｙは、平均繰り返し数を表し、それぞれ独立に０〜６であり、Ｍ１は、無機又は有機の陽イオンを表す。］
【００１０】
Ｒ３−Ｏ−［Ｇ］ｚ・・・（ＩＩ）
［一般式（ＩＩ）において、Ｒ３は、炭素数８〜２０のアルキル基を表し、Ｇはグルコシド残基を表し、ｚは、糖の縮合度で、１〜５の数字を表す。］
【００１１】
［２］前記（Ａ）成分、前記（Ｂ）成分及び前記（Ｃ）成分の質量の合計が、液体洗浄剤組成物の総質量に対して１０〜３０質量％である、［１］に記載の液体洗浄剤組成物。
［３］前記（Ａ）成分及び前記（Ｄ）成分の質量の合計が、液体洗浄剤組成物の総質量に対して２〜１０質量％である、［１］又は［２］に記載の液体洗浄剤組成物。
［４］（前記（Ａ）成分＋前記（Ｂ）成分）／前記（Ｄ）成分で表される質量比が１０〜１００である、［１］〜［３］のいずれかに記載の液体洗浄剤組成物。
【発明の効果】
【００１２】
本発明によれば、透明の外観を有し、こぼれにくく、かつ、使用性に優れる液体洗浄剤組成物を提供することができる。
【発明を実施するための形態】
【００１３】
［液体洗浄剤組成物］
本発明の液体洗浄剤組成物（以下、単に液体洗浄剤ということがある）は、（Ａ）成分と、（Ｂ）成分と、（Ｃ）成分と、（Ｄ）成分とを含有する。
【００１４】
＜（Ａ）成分＞
（Ａ）成分は、下記一般式（Ｉ）で表されるスルホコハク酸モノアルキルエステル若しくはスルホコハク酸ジアルキルエステル又はこれらの塩である。液体洗浄剤は、（Ａ）成分を含有することで、ダイラタンシー性を高められる。
【００１５】
【化２】
2018184516.tif 000003
【００１６】
［一般式（Ｉ）において、Ｒ１は、炭素数５〜１８のアルキル基、水素原子、又はＭ１を表し、Ｒ２は、炭素数１〜１８のアルキル基又は水素原子を表す。但し、Ｒ１とＲ２が同時に水素原子となる場合を除く。Ａ１、Ａ２は、それぞれ独立に炭素数２〜４のアルキレン基を表し、ｘ、ｙは、平均繰り返し数を表し、それぞれ独立に０〜６であり、Ｍ１は、無機又は有機の陽イオンを表す。］
【００１７】
Ｒ１は、炭素数５〜１８のアルキル基、水素原子、又はＭ１（無機又は有機の陽イオン）である。Ｒ１がアルキル基の場合、Ｒ１の炭素数は、６〜１４が好ましく、７〜１０がより好ましい。Ｒ１がアルキル基の場合、分岐構造を有するアルキル基であることが好ましい。
Ｒ２は、炭素数１〜１８のアルキル基又は水素原子である。Ｒ２がアルキル基の場合、Ｒ２の炭素数は、６〜１４が好ましく、７〜１０がより好ましい。Ｒ２がアルキル基の場合、分岐構造を有するアルキル基であることが好ましい。
Ａ１、Ａ２は、それぞれ独立に炭素数２〜４のアルキレン基であり、Ａ１、Ａ２の炭素数は、２〜３が好ましい。Ａ１、Ａ２の炭素数が２〜３であると、液体洗浄剤のこぼれ量をより抑制しやすい。本明細書において、液体洗浄剤のこぼれ量は、後述する［こぼれにくさの評価方法］において算出される量である。
ｘ、ｙは、それぞれ独立に０〜６の平均繰り返し数であり、０〜３が好ましく、０がより好ましい。ｘ、ｙが、０〜３であると、液体洗浄剤のこぼれ量をより抑制しやすい。ｘが０である場合は、Ｒ１が酸素原子と直接結合し、ｙが０である場合は、Ｒ２が酸素原子と直接結合する。
Ｍ１は、水素イオン、ナトリウムイオン、アンモニウムイオン、カリウムイオン、マグネシウムイオン等の無機イオン、モノエタノールアミン、ジエタノールアミン、トリエタノールアミン有機陽イオンが挙げられる。無機の陽イオンが好ましく、ナトリウムイオン、カリウムイオン、マグネシウムイオンがより好ましい。
【００１８】
（Ａ）成分が、スルホコハク酸モノアルキルエステル又はその塩である場合、一般式（Ｉ）中のＲ１、Ｒ２の一方は、アルキル基であり、他方は水素原子、無機又は有機の陽イオンである。Ｒ１、Ｒ２の一方がアルキル基の場合、アルキル基の炭素数は５〜１８であり、６〜１４が好ましく、７〜１０がより好ましい。Ｒ１、Ｒ２の一方の炭素数が前記範囲内であると、液体洗浄剤のこぼれ量をより抑制しやすい。
（Ａ）成分が、スルホコハク酸ジアルキルエステル又はその塩である場合、一般式（Ｉ）中のＲ１、Ｒ２は、双方がアルキル基であり、Ｒ１及びＲ２は、同一あるいは異なっていても良い。Ｒ１及びＲ２の炭素数は、５〜１８であり、６〜１４が好ましく、７〜１０がより好ましい。Ｒ１及びＲ２の炭素数が、前記下限値以上であると、液体洗浄剤のこぼれ量をより抑制しやすく、前記上限値以下であると、透明な外観の液体洗浄剤が得られやすい。加えて、Ｒ１及びＲ２の炭素数が前記範囲内であると、洗浄時の起泡性及びすすぎ時の泡消え性が向上しやすい。Ｒ１及びＲ２は、分岐構造を有するアルキル基であることが好ましい。
液体洗浄剤のこぼれ量をより抑制しやすいため、（Ａ）成分は、スルホコハク酸ジアルキルエステル又はその塩であることが好ましい。
【００１９】
一般式（Ｉ）中、Ｒ１、Ｒ２は、それぞれ具体的には、ヘキシル基、オクチル基、ノニル基、デシル基、ドデシル基、トリデシル基、２−エチルヘキシル基、ｎ−オクチル基、ｓｅｃ−オクチル基、イソペンチル基、イソノニル基、イソデシル基、シクロヘキシル基が挙げられ、中でもｎ−オクチル基、ｓｅｃ−オクチル基、デシル基、イソデシル基、及び２−エチルヘキシル基から選ばれる基であることが好ましく、２−エチルヘキシル基がより好ましい。
Ｍ１としては、水素イオン、ナトリウムイオン、カリウムイオン、マグネシウムイオン、アンモニウムイオンから選ばれる無機陽イオン、モノエタノールアンモニウムイオン、ジエタノールアンモニウムイオン、トリエタノールアンモニウムイオンから選ばれる有機陽イオンが挙げられるが、好ましくはナトリウムイオン、カリウムイオン、マグネシウムイオン、及びアンモニウムイオンから選ばれる陽イオンである。
【００２０】
（Ａ）成分が、スルホコハク酸ジアルキルエステル又はその塩である場合、Ｒ１、Ｒ２が同一である化合物の調製方法としては、特に限定されるものではないが、例えば、米国特許明細書第２，０２８，０９１号公報に記載の方法を参考にして製造することができる。Ｒ１、Ｒ２が異なる非対称の化合物の調製方法としては、例えば、特開昭５８−２４５５５号公報を参考にして製造することができる。市販の化合物を用いる場合には、ライオン・スペシャリティ・ケミカルズ（株）製リパール８７０Ｐ（Ｒ１、Ｒ２が共に２−エチルヘキシル基である化合物）、ＢＡＳＦ社製ＬｕｅｎｓｉｔＡ−ＢＯ（Ｒ１、Ｒ２が共に２−エチルヘキシル基である化合物）、三井サイテック株式会社から入手可能であったエアロゾルＡＹ−１００（Ｒ１、Ｒ２が共にアミル基である化合物）、同エアロゾルＡ−１９６（Ｒ１、Ｒ２が共にシクロヘキシル基である化合物）等を用いることができる。
【００２１】
（Ａ）成分は１種単独で用いられてもよく、２種以上が組み合わされて用いられてもよい。
（Ａ）成分の含有量は、液体洗浄剤の総質量に対して、１〜１５質量％が好ましく、３〜１０質量％がより好ましい。（Ａ）成分の含有量が前記下限値以上であると、洗浄力を向上しやすく、液体洗浄剤のこぼれ量をより抑制しやすい。（Ａ）成分の含有量が前記上限値以下であると、使用に適した粘度の液体洗浄剤が得られやすい。
【００２２】
＜（Ｂ）成分＞
（Ｂ）成分は、下記一般式（ＩＩ）で表されるアルキルグリコシド型ノニオン界面活性剤である。液体洗浄剤は、（Ｂ）成分を含有することで、ダイラタンシー性を高められる。
Ｒ３−Ｏ−［Ｇ］ｚ・・・（ＩＩ）
［一般式（ＩＩ）において、Ｒ３は、炭素数８〜２０のアルキル基を表し、Ｇはグルコシド残基を表し、ｚは、糖の縮合度で、１〜５の数字を表す。］
【００２３】
Ｒ３は、アルキル基の炭素数が１０〜１４であることが好ましく、１２〜１４であることがさらに好ましい。ｚは糖の縮合度を示し、平均で１〜３の数が好ましい。Ｒ３の炭素数が前記下限値以上であると、速いせん断刺激に対しては、あたかも固体のような抵抗力を発揮しやすい。前記上限値以下であると、遅いせん断刺激に対して液体のように振る舞いやすい。（Ｂ）成分としては市販品を用いることができ、例えば、花王株式会社製の「マイドール１２」やＢＡＳＦジャパン株式会社製の「ＧＬＵＣＯＰＯＮ６００ＣＳＵＰ」が挙げられる。
【００２４】
一般式（ＩＩ）中、Ｇは、グルコシド残基である。グルコシドの原料の還元糖としては、アルドースとケトースの何れであってもよく、また、炭素数が３〜６個のトリオース、テトロース、ペントース、ヘキソースを挙げることができる。アルドースとして具体的には、アピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも特に炭素数５又は６のアルドペントースあるいはアルドヘキソースが好ましく、中でもグルコースが最も好ましい。
【００２５】
（Ｂ）成分は１種単独で用いられてもよく、２種以上が組み合わされて用いられてもよい。
（Ｂ）成分の含有量は、液体洗浄剤の総質量に対して、１〜１５質量％が好ましく、３〜１０質量％がより好ましい。（Ｂ）成分の含有量が前記下限値以上であると、液体洗浄剤のこぼれ量をより抑制しやすい。（Ｂ）成分の含有量が前記上限値以下であると、使用に適した粘度の液体洗浄剤が得られやすい。
【００２６】
＜（Ｃ）成分＞
（Ｃ）成分は、前記（Ａ）成分及び前記（Ｂ）成分を除く界面活性剤である。液体洗浄剤は、（Ｃ）成分を含有することで、透明の外観を有し、ダイラタンシー性を高められる。（Ｃ）成分としては、（Ａ）成分を除くアニオン界面活性剤、カチオン界面活性剤、（Ｂ）成分を除くノニオン界面活性剤、両性界面活性剤、半極性界面活性剤等が挙げられる。
【００２７】
（Ａ）成分を除くアニオン界面活性剤としては、直鎖アルキルベンゼンスルホン酸塩、α−オレフィンスルホン酸塩、直鎖または分岐鎖のアルキル硫酸エステル塩、アルキルエーテル硫酸エステル塩またはアルケニルエーテル硫酸エステル塩、アルキル基を有するアルカンスルホン酸塩、α−スルホ脂肪酸エステル塩等が挙げられる。
これらの塩としては、ナトリウム、カリウム等のアルカリ金属塩；モノエタノールアミン、ジエタノールアミン等のアルカノールアミン塩等が挙げられる。
【００２８】
カチオン界面活性剤としては、例えば、ジデシルジメチルアンモニウムクロライド、ジデシルジメチルアンモニウムメトサルフェート、ジステアリルジメチルアンモニウムクロライド、ジオクチルジメチルアンモニウムクロライド、ジステアリルジヒドロキシエチルアンモニウムクロライド、ジ牛脂アルキルジメチルアンモニウムクロライド、ジ（ステアロイルオキシエチル）ジメチルアンモニウムクロライド、ジ（オレオイルオキシエチル）ジメチルアンモニウムクロライド、ジ（パルミトイルオキシエチル）ジメチルアンモニウムメトサルフェート、ジ（ステアロイルオキシイソプロピル）ジメチルアンモニウムクロライド、ジ（オレオイルオキシイソプロピル）ジメチルアンモニウムクロライド、ジ（オレオイルオキシブチル）ジメチルアンモニウムクロライド、ジ（ステアロイルオキシエチル）メチルヒドロキシエチルアンモニウムメトサルフェート、トリ（ステアロイルオキシエチル）メチルメトサルフェート等が挙げられる。なお、「牛脂アルキル」基の炭素数は１４〜１８である。
【００２９】
（Ｂ）成分を除くノニオン界面活性剤としては、例えば、ポリオキシアルキレン付加型ノニオン界面活性剤、ソルビタン脂肪酸エステル等が挙げられ、ポリオキシアルキレン付加型ノニオン界面活性剤が好ましい。
【００３０】
両性界面活性剤としては、カルボン酸型のもの、硫酸エステル型のもの、スルホン酸型のもの、リン酸エステル型のものが挙げられ、これらの中でも、カルボン酸型のものが好ましい。
カルボン酸型のものとしては、例えば、ラウリルジメチルアミノ酢酸ベタイン、ヤシアルキルジメチルアミノ酢酸ベタイン、ヤシ油脂肪酸アミドプロピルベタイン、ラウリン酸アミドプロピルジメチルアミノ酢酸ベタイン、ヤシアルキルアミドプロピルジメチルアミノ酢酸ベタイン等のベタイン型両性界面活性剤が挙げられる。
【００３１】
半極性型界面活性剤としては、例えば、ラウリルジメチルアミンオキシド、ヤシアルキルジメチルアミンオキシド、ラウリルジエチルアミンオキシド、ラウリン酸アミドプロピルジメチルアミンオキシド等が挙げられる。
【００３２】
（Ｃ）成分は１種単独で用いられてもよく、２種以上が組み合わされて用いられてもよい。
（Ｃ）成分としては、上記の中でも、透明な外観の液体洗浄剤が得られやすくなると共に、より良好な洗浄力が得られやすいことから、（Ａ）成分を除くアニオン界面活性剤、（Ｂ）成分を除くノニオン界面活性剤が好ましく、（Ａ）成分を除くアニオン界面活性剤がより好ましい。
さらに、（Ａ）成分を除くアニオン界面活性剤としては、下記一般式（ＩＩＩ）で表されるアニオン界面活性剤が好ましい。
Ｒ４−Ｏ−［（ＥＯ）ｅ／（ＰＯ）ｆ］−ＳＯ３−Ｍ２・・・（ＩＩＩ）
【００３３】
一般式（ＩＩＩ）において、Ｒ４は炭素数８〜１８の直鎖又は分岐のアルキル基を表し、かつ、酸素原子と結合している炭素原子は第一級炭素原子である。ＥＯはオキシエチレン基、ＰＯはオキシプロピレン基であり、ｅはＥＯの平均繰り返し数、ｆはＰＯの平均繰り返し数を表し、０≦ｅ≦４、０≦ｆ＜１である。
一般式（ＩＩＩ）における［（ＥＯ）ｅ／（ＰＯ）ｆ］は、ＥＯとＰＯがともに存在する場合、オキシエチレン基とオキシプロピレン基とが、ランダム重合でも、ブロック重合でもよいことを示す。なお、本明細書において平均繰り返し数は、ガスクロマトグラフィー等によって測定することができる。
Ｍ２は、無機又は有機の陽イオンである。
Ｒ４におけるアルキル基の炭素数は１０〜１４が好ましく、１２〜１４がより好ましい。Ｒ４におけるアルキル基の炭素数が前記下限値以上であると、速いせん断刺激に対しては、あたかも固体のような抵抗力を発揮しやすい。前記上限値以下であると、遅いせん断刺激に対して液体のように振る舞いやすい。
【００３４】
Ｍ２は、水素イオン、ナトリウムイオン、アンモニウムイオン、カリウムイオン、マグネシウムイオン等の無機イオン、モノエタノールアミン、ジエタノールアミン、トリエタノールアミン有機陽イオンが挙げられる。無機の陽イオンが好ましく、ナトリウムイオン、カリウムイオン、マグネシウムイオンがより好ましい。
【００３５】
一般式（ＩＩＩ）で表されるアニオン界面活性剤としては、例えば、ポリオキシエチレン（１）直鎖アルキル（Ｃ１２）エーテル硫酸ナトリウム塩、ポリオキシエチレン（２）直鎖アルキル（Ｃ１２）エーテル硫酸ナトリウム塩、ポリオキシエチレン（４）直鎖アルキル（Ｃ１２）エーテル硫酸ナトリウム塩、ポリオキシプロピレン（０．４）ポリオキシエチレン（１．５）直鎖アルキル（Ｃ１２）エーテル硫酸ナトリウム塩、ポリオキシエチレン（１）直鎖アルキル（Ｃ１２／１４＝７５／２５；天然油脂由来）エーテル硫酸ナトリウム塩、ポリオキシエチレン（２）直鎖アルキル（Ｃ１２／１４＝７５／２５；天然油脂由来）エーテル硫酸ナトリウム塩、ポリオキシエチレン（４）直鎖アルキル（Ｃ１２／１４＝７５／２５；天然油脂由来）エーテル硫酸ナトリウム塩、ポリオキシプロピレン（０．４）ポリオキシエチレン（１．５）直鎖アルキル（Ｃ１２／１４＝７５／２５；天然油脂由来）エーテル硫酸ナトリウム塩、ポリオキシプロピレン（０．６）直鎖アルキル（Ｃ１２／１４＝７５／２５；天然油脂由来）エーテル硫酸ナトリウム塩等が挙げられる。カッコ内の０．４〜４の数字は、ＥＯ又はＰＯの平均繰り返し数を、Ｃ１２は、アルキル基の炭素数を、Ｃ１２／１４＝７５／２５は、炭素数１２と炭素数１４のアルキル基の存在比を表す。
液体洗浄剤のこぼれ量をより抑制しやすいため、上記アニオン界面活性剤の中でも、ポリオキシエチレン（１）直鎖アルキル（Ｃ１２／１４＝７５／２５；天然油脂由来）エーテル硫酸ナトリウム塩が好ましい。
【００３６】
（Ｃ）成分の含有量は、液体洗浄剤の総質量に対して、５〜３０質量％が好ましく、８〜１５質量％がより好ましい。（Ｃ）成分の含有量が前記下限値以上であると、透明な外観の液体洗浄剤を得られやすいと共に、洗浄力を向上しやすく、液体洗浄剤のこぼれ量をより抑制しやすい。（Ｃ）成分の含有量が前記上限値以下であると、透明な外観の液体洗浄剤が得られやすい。
【００３７】
（Ａ）成分、（Ｂ）成分及び（Ｃ）成分の質量の合計は、液体洗浄剤の総質量に対して１０〜３０質量％が好ましく、１５〜２５質量％がより好ましく、１８〜２２質量％がさらに好ましい。（Ａ）成分、（Ｂ）成分及び（Ｃ）成分の質量の合計は、液体洗浄剤中の界面活性剤の質量の合計であり、この値が前記下限値以上であると、良好な洗浄力が得られやすい。前記上限値以下であると、透明な外観の液体洗浄剤が得られやすい。
【００３８】
＜（Ｄ）成分＞
（Ｄ）成分は、カチオン化セルロースである。液体洗浄剤は、（Ｄ）成分を含有することで、ダイラタンシー性を高められる。
【００３９】
（Ｄ）成分としては、例えば、下記一般式（ＩＶ）で示されるヒドロキシトリメチルアンモニオプロピルヒドロキシエチルセルロースクロリド（化合物（ＩＶ））、下記一般式（Ｖ−１）で表される構成単位と下記一般式（Ｖ−２）で表される構成単位とを有するヒドロキシエチルセルロースジメチルジアリルアンモニウムクロリド重合体（化合物（Ｖ））、下記一般式（ＶＩ）で示されるヒドロキシトリメチルアンモニオプロピルヒドロキシエチルセルロースクロリド（化合物（ＶＩ））等のカチオン変性ヒドロキシエチルセルロースが挙げられる。液体洗浄剤のこぼれ量をより抑制しやすいため、（Ｄ）成分としては、化合物（ＩＶ）のカチオン化セルロースが好ましい。
【００４０】
【化３】
2018184516.tif 000004
【００４１】
化合物（ＩＶ）の重量平均分子量は、１０万〜１０００万である。一般式（ＩＶ）において、ｓ、ｔは、オキシエチレン基の平均繰り返し数を表し、ｕは、２−ヒドロキシ−３−トリメチルアンモニオプロピルクロリドの平均繰り返し数を表す。０≦ｓ≦４、０≦ｔ≦４、０≦ｕ≦２である。ｍは、一般式（ＩＶ）で表される構成単位の平均繰り返し数を表す。２００≦ｍ≦２００００である。
【００４２】
【化４】
2018184516.tif 000005
【００４３】
化合物（Ｖ）の重量平均分子量は、１万〜１００万である。ｖは、一般式（Ｖ−１）で表される構成単位の平均繰り返し数を表し、ｗは、一般式（Ｖ−２）で表される構成単位の平均繰り返し数を表す。一般式（Ｖ−１）で表される構成単位と一般式（Ｖ−２）で表される構成単位とは、ランダム重合であってもよいし、ブロック重合であってもよい。２０≦ｖ≦２０００、２０≦ｗ≦２０００である。
【００４４】
【化５】
2018184516.tif 000006
【００４５】
化合物（ＶＩ）の重量平均分子量は、１万〜１００万である。一般式（ＶＩ）において、ｎは、一般式（ＶＩ）で表される構成単位の平均繰り返し数を表す。２０≦ｎ≦２０００である。
【００４６】
（Ｄ）成分の第４級窒素含有率は、（Ｄ）成分の総質量に対して０．５〜３．５質量％が好ましく、１．５〜２．５質量％がより好ましい。（Ｄ）成分の第４級窒素含有率が前記範囲内であると、液体洗浄剤のこぼれ量をより抑制しやすい。
このような（Ｄ）成分の市販品としては、例えば、商品名「レオガードＧＰ（第４級窒素含有率１．８％、ライオン・スペシャリティ・ケミカルズ社製）」、商品名「レオガードＭＧＰ（第４級窒素含有率１．８％、ライオン・スペシャリティ・ケミカルズ社製）」、商品名「レオガードＭＬＰ（第４級窒素含有率０．６％、ライオン・スペシャリティ・ケミカルズ社製）」、商品名「ＵＣＡＲＥ  ＪＲ１２５（第４級窒素含有率１．９％、ローム・アンド・ハース・ジャパン株式会社製）」、商品名「ＵＣＡＲＥ  ＪＲ４００（第４級窒素含有率１．９％、ローム・アンド・ハース・ジャパン株式会社製）」、商品名「ＵＣＡＲＥ  ＬＲ３０Ｍ（第４級窒素含有率１．０％、ローム・アンド・ハース・ジャパン株式会社製）」等が挙げられ、これらの中では、内容物のこぼれにくさ、粘度の観点からＵＣＡＲＥ  ＪＲ１２５、ＵＣＡＲＥ  ＪＲ４００が好ましく、ＵＣＡＲＥ  ＪＲ１２５が特に好ましい。
【００４７】
（Ｄ）成分は、１種単独で用いられてもよく、２種以上が組み合わせて用いられてもよい。
（Ｄ）成分の含有量は、液体洗浄剤の総質量に対して、０．１〜２．０質量％が好ましく、０．２〜１．０質量％がより好ましく、０．２〜０．５質量％がさらに好ましい。（Ｄ）成分の含有量が前記下限値以上であると、液体洗浄剤のこぼれ量をより抑制しやすい。（Ｄ）成分の含有量が前記上限値以下であると、使用に適した粘度の液体洗浄剤が得られやすい。
【００４８】
（Ａ）成分及び（Ｄ）成分の質量の合計は、液体洗浄剤の総質量に対して２〜１０質量％が好ましく、３〜８質量％がより好ましく、４〜６質量％がさらに好ましい。（Ａ）成分及び（Ｄ）成分の質量の合計が前記下限値以上であると、液体洗浄剤のこぼれ量をより抑制しやすく、前記上限値以下であると、使用に適した粘度の液体洗浄剤が得られやすい。
【００４９】
（Ａ）成分、（Ｂ）成分及び（Ｄ）成分の質量の合計は、液体洗浄剤の総質量に対して４〜１２質量％が好ましく、５〜１０質量％がより好ましく、６〜８質量％がさらに好ましい。（Ａ）成分、（Ｂ）成分及び（Ｄ）成分の質量の合計が前記下限値以上であると、液体洗浄剤のこぼれ量をより抑制しやすく、前記上限値以下であると、使用に適した粘度の液体洗浄剤が得られやすい。
【００５０】
本発明における（Ａ）成分／（Ｄ）成分で表される質量比（以下、（Ａ）／（Ｄ）比ということがある）は、４〜８０であり、４〜３０が好ましく、１０〜３０がより好ましく、２０〜３０がさらに好ましい。（Ａ）／（Ｄ）比が前記下限値以上であると、液体洗浄剤のこぼれ量をより抑制しやすい。（Ａ）／（Ｄ）比が前記上限値以下であると、使用に適した粘度の液体洗浄剤が得られやすい。
【００５１】
（（Ａ）成分＋（Ｂ）成分）／（Ｄ）成分で表される質量比（以下、（（Ａ）＋（Ｂ））／（Ｄ）比ということがある）は、１０〜１５０が好ましく、２０〜７０がより好ましく、３０〜５０がさらに好ましい。（（Ａ）＋（Ｂ））／（Ｄ）比が前記下限値以上であると、液体洗浄剤のこぼれ量をより抑制しやすい。（（Ａ）＋（Ｂ））／（Ｄ）比が前記上限値以下であると、使用に適した粘度の液体洗浄剤が得られやすい。
【００５２】
＜任意成分＞
本発明の液体洗浄剤は、上記の（Ａ）〜（Ｄ）成分以外に、本発明の効果を妨げない範囲で、必要に応じて任意成分を適宜含有してもよい。任意成分としては、ハイドロトロープ剤、有機溶剤、水、着香剤、着色剤、ｐＨ調整剤、消泡剤等が挙げられる。
【００５３】
（ハイドロトロープ剤）
ハイドロトロープ剤としては、例えば、トルエンスルホン酸、トルエンスルホン酸塩、クメンスルホン酸、クメンスルホン酸塩、安息香酸、安息香酸塩等が挙げられ、これらの化合物からなる群から選ばれる少なくとも一種のハイドロトロープ剤をさらに含有することが好ましい。液体洗浄剤は、ハイドロトロープ剤を含有することにより、保存安定性、特に低温での保存安定性が向上しやすい。
【００５４】
ハイドロトロープ剤において、トルエンスルホン酸、トルエンスルホン酸塩、クメンスルホン酸、クメンスルホン酸塩は、それぞれｏ体、ｍ体、ｐ体の３異性体のいずれでもよい。これらのなかでも容易に入手が可能なことからｐ体が好ましく、そのなかでも、ｐ−トルエンスルホン酸、ｐ−トルエンスルホン酸塩がより好ましい。ハイドロトロープ剤の含有量は、液体洗浄剤の総質量に対して、２〜３０質量％であることが好ましく、３〜１０質量％がより好ましい。ハイドロトロープ剤の含有量が前記範囲内であると、液体洗浄剤のこぼれ量をより抑制しやすく、かつ、液体洗浄剤の低温での保存安定性を向上させやすい。
【００５５】
（有機溶剤）
液体洗浄剤は、保存安定性の改善や、粘度調節の目的で、有機溶剤を含有することが好ましい。
有機溶剤としては、例えば、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、ベンジルアルコール等の水溶性有機溶剤が挙げられる。これらの中でも、ブチルジグリコール、エタノール、及びプロピレングリコールから選ばれる１種以上の水溶性有機溶剤が好ましく、エタノール、及びプロピレングリコールから選ばれる１種以上の水溶性有機溶剤がさらに好ましい。ここで、水溶性有機溶剤とは、オクタノール／水分配係数（ＬｏｇＰｏｗ）が３．５以下の溶剤を指すものとする。
【００５６】
有機溶剤の含有量は、液体洗浄剤の総質量に対して、１〜３０質量％が好ましく、２〜２０質量％がより好ましく、２〜１０質量％がさらに好ましい。有機溶剤の含有量が前記下限値以上であると、液体洗浄剤の保存安定性を向上させやすく、前記上限値以下であると、液体洗浄剤のこぼれ量をより抑制しやすい。
【００５７】
液体洗浄剤は、保存安定性の改善や、粘度調節の目的で、水を含有することが好ましい。
液体洗浄剤の総質量に対する水の含有量は、例えば、１０〜９５質量％が好ましく、２０〜９０質量％がより好ましく、４０〜９０質量％がさらに好ましい。水の含有量が前記下限値以上であると、透明な外観の液体洗浄剤が得られやすく、前記上限値以下であると、液体洗浄剤のこぼれ量をより抑制しやすい。
【００５８】
なお、液体洗浄剤に含まれる全ての成分の含有量の合計が、１００質量％となるものとする。
【００５９】
（ｐＨ）
液体洗浄剤の２５℃におけるｐＨは、５〜８が好ましい。２５℃におけるｐＨが前記範囲内であると、液体洗浄剤のこぼれ量をより抑制しやすい。
本発明において、液体洗浄剤の２５℃におけるｐＨは、ＪＩＳ  Ｚ  ８８０２：１９８４「ｐＨ測定方法」に準拠した方法により測定される値を示す。
液体洗浄剤のｐＨの調整には、好ましくは無機アルカリ剤、有機アルカリ剤等のｐＨ調整剤が用いられる。無機アルカリ剤としては、水酸化ナトリウム、水酸化カリウム、炭酸ナトリウム、炭酸カリウム等が挙げられ、なかでも液体洗浄剤の保存安定性が向上しやすいことから、水酸化ナトリウム、水酸化カリウム等の水酸化物が好ましい。有機アルカリ剤としては、モノエタノールアミン、ジエタノールアミン、トリエタノールアミン、Ｎ−メチルプロパノール、２−アミノ−２−メチル−１−プロパノール、Ｎ−（β−アミノエチル）エタノールアミン、ジエチレントリアミン、モルホリン、Ｎ−エチルモルホリン等のアミン化合物等が挙げられ、なかでも液体洗浄剤の保存安定性が向上しやすいことから、モノエタノールアミンが好ましい。なお、ｐＨが高すぎる場合には、例えば、塩酸、硫酸等の無機酸；酢酸、クエン酸等の有機酸等の酸を用いて調整することができる。
【００６０】
（粘度）
本発明の液体洗浄剤の２５℃における粘度は、３０〜２５０ｍＰａ・ｓであり、５０〜１６０ｍＰａ・ｓが好ましく、１００〜１６０ｍＰａ・ｓがより好ましい。２５℃における粘度が前記下限値以上であると、液体洗浄剤のこぼれ量をより抑制しやすい。前記上限値以下であると、スクイズ容器で使用されることが多い食器洗い用洗剤としての使用性に優れる。つまり、前記範囲内の粘度が、液体洗浄剤の使用に適した粘度であるといえる。
本明細書における液体洗浄剤の２５℃での粘度は、試料を２５℃に調整し、ＢＬ型粘度計（ＴＯＫＩＭＥＣ社製、ＰＶＬ−Ｂ２）を用いて測定される値を示す。測定条件は、回転数６０ｒｐｍ、ローターＮｏ．２にて、１分間回転後の粘度を測定する。
【００６１】
本発明の液体洗浄剤は、例えば、上記の（Ａ）成分〜（Ｄ）成分と、必要に応じて任意成分とを混合することによって製造される。
【００６２】
本発明の液体洗浄剤は、一般的に用いられている容器に収容できる。かかる容器としては、例えば、計量キャップを備えたノズル型容器または中栓型容器、自動計量機構もしくは簡易計量機構を備えたスクイズ容器またはポンプ容器、液を吹きかけるもしくは泡状に塗布するトリガー容器またはスクイズ容器、液を塗りつける塗布面を持った塗布容器、詰め替え容器（パウチ、薄肉ボトル、付け替えボトル等）等が挙げられる。
【００６３】
以上説明した本発明の液体洗浄剤は、特定量の（Ａ）成分、（Ｂ）成分、（Ｃ）成分及び（Ｄ）成分を含有するので、透明の外観を有し、容器を倒したり落としたりしてもこぼれにくい。加えて、本発明の液体洗浄剤は、２５℃における粘度が３０〜２５０ｍＰａ・ｓであるため、内容物を容器から吐出しやすい（使用性に優れる）。
【００６４】
本発明の液体洗浄剤が透明外観を有し、かつ、こぼれにくい理由は定かではないが、以下のように推測される。
内容物のこぼれにくさは、弱いダイラタンシー性が発現したためであると、本発明者等は推測している。まず（Ｄ）成分と（Ａ）成分が電化吸着により複合体を形成し、非常にバルキーな（嵩高い）構造になる。しかし、この複合体は疎水性が強いため透明外観が得られない。そこに、（Ｃ）成分が添加されることにより、（Ｄ）成分と（Ｃ）成分も複合体を形成し、これにより複合体が親水性的なものもとなり、透明外観となる。さらにここに（Ｂ）成分を添加することにより、同じ糖骨格をもつ（Ｄ）成分と弱い相互作用をする。これが通常は低粘度であるが、ボトルを落とす等の急な力が加わるとバルキーな（Ｄ）成分と（Ａ）成分の複合体と（Ｂ）成分とが絡み合うような状態となり、透明外観を有し、弱いダイラタンシー性が発現したと考えられる。また、（Ａ）成分に対して（Ｄ）成分が少ない場合は、バルク中のバルキーな複合体の割合が少ないため、こぼれにくい効果が発現しない。一方で、（Ａ）成分に対して（Ｄ）成分が多い場合は、複合体を形成していない（Ｄ）成分が、複合体と（Ｂ）成分が絡み合うことを阻害してしまうため、こぼれにくい効果が発現しないと推察される。
【００６５】
本発明の液体洗浄剤は、家庭用、商業用、工業用のいずれの用途にも利用可能である。中でも家庭用として好適に利用可能であり、食器洗い用の液体洗浄剤として特に好適である。
【００６６】
液体洗浄剤の使用方法は、例えば、液体洗浄剤をスポンジ等に必要量吐出して食器等を洗浄する方法、液体洗浄剤を食器等に必要量吐出してスポンジ等を用いて食器等を洗浄する方法、液体洗浄剤の必要量を予め水に溶解して調製される洗浄剤水溶液に食器等を浸漬する方法等が挙げられる。また、自動食器洗い洗浄機を用いて、食器等と液体洗浄剤の必要量とを予め仕込んでおいてから、自動食器洗い洗浄機を作動させてもよい。
【実施例】
【００６７】
以下、実施例を示して本発明を詳細に説明するが、本発明は以下の記載によって限定されるものではない。
各実施例および比較例で使用した原料、測定・評価方法は、以下の通りである。
【００６８】
［使用原料］
＜（Ａ）成分＞
Ａ−１：スルホコハク酸ジ−２−エチルヘキシルナトリウム（ライオン・スペシャリティ・ケミカルズ（株）製、商品名「リパール８７０Ｐ」）。
【００６９】
＜（Ｂ）成分＞
Ｂ−１：アルキル基の炭素数が１０〜１４であるアルキルポリグリコシド（花王（株）製、商品名「マイドール１２」）。
Ｂ−２：アルキル基の炭素数が１２〜１４であるアルキルポリグリコシド（ＢＡＳＦジャパン（株）製、商品名「ＧＬＵＣＯＰＯＮ６００ＣＳＵＰ」）。
【００７０】
＜（Ｃ）成分＞
Ｃ−１：ポリオキシエチレンアルキルエーテル硫酸ナトリウム（合成品。上記一般式（ＩＩＩ）におけるＲ４＝炭素数１２〜１４の直鎖状アルキル基、ｅ＝１、ｆ＝０、Ｍ２＝ナトリウム）。
【００７１】
＜（Ｄ）成分＞
Ｄ−１：カチオン化セルロース１（第４級窒素含有率１．９％、２５℃における２質量％水溶液の粘度１３０ｍＰａ・ｓ。ローム・アンド・ハース・ジャパン（株）製、商品名「ＵＣＡＲＥ  ＪＲ  １２５」）。
Ｄ−２：カチオン化セルロース２（第４級窒素含有率１．９％、２５℃における２質量％水溶液の粘度４００ｍＰａ・ｓ。ローム・アンド・ハース・ジャパン（株）製、商品名「ＵＣＡＲＥ  ＪＲ  ４００」）。
【００７２】
＜（Ｄ’）成分＞
（Ｄ）成分の比較成分。
Ｄ’−１：キサンタンガム（ケルコ社製、商品名「ケルザンＴ」）。
【００７３】
＜任意成分＞
パラトルエンスルホン酸ナトリウム（明友産業（株）製）。
水：精製水。
【００７４】
［Ｃ−１の調製］
４Ｌオートクレーブ中に、原料アルコールとしてＰ＆Ｇ社製の商品名ＣＯ１２７０アルコール（Ｃ１２／Ｃ１４＝７５％／２５％、質量比）４００ｇと、反応用触媒として水酸化カリウム触媒０．８ｇと、をそれぞれ仕込み、オートクレーブ内を窒素で置換した後、撹拌しながら昇温した。続いて、温度を１８０℃、圧力を０．３ＭＰａ以下に維持しつつ、エチレンオキシド９１ｇを導入し、反応させた。得られたポリオキシアルキレンエーテルのエチレンオキシドの平均付加モル数は１であった。
次に、このようにして得られたアルコールエトキシレート２３７ｇを、撹拌装置付の５００ｍＬフラスコに採り、窒素置換の後、液体無水硫酸（サルファン）９６ｇを、反応温度４０℃に保ちながらゆっくりと滴下した。滴下終了の後、撹拌を１時間続け（硫酸化反応）、ポリオキシエチレンアルキルエーテル硫酸を得た。次いで、これを、水酸化ナトリウム水溶液で中和することによりＣ−１を得た。
【００７５】
［液体洗浄剤組成物の調製］
表１〜２に示す組成に従って、各例の液体洗浄剤組成物１０００ｇを下記の手順で調製した。なお、表中の含有量の単位は「質量％」であり、純分換算量を示す。「バランス」は、各例の組成物に含まれる全配合成分の合計の配合量（質量％）が１００質量％となるように水が配合されていることを意味する。
１Ｌビーカーに（Ａ）成分、（Ｂ）成分、（Ｃ）成分、水を入れ、マグネチックスターラー（Ｆｉｎｅ社製、「Ｆ−６０６Ｎ」）で十分に攪拌した。続いて、（Ｄ）成分を加え、混合終了後、２５℃でのｐＨが５．５になるように、必要に応じｐＨ調整剤（水酸化ナトリウム、硫酸）を適量添加した後、全体量が１００質量％になるように蒸留水を入れ（バランス）、さらによく攪拌し、液体洗浄剤組成物を得た。
得られた液体洗浄剤組成物のｐＨ（２５℃）は、液体洗浄剤を２５℃に調温し、ガラス電極式ｐＨメーター（東亜ディーケーケー（株）製、商品名「ＨＭ−３０Ｇ」）を用い、ガラス電極を液体洗浄剤に直接に浸漬し、１分間経過後に示すｐＨを測定した。
【００７６】
【表１】
2018184516.tif 000007
【００７７】
【表２】
2018184516.tif 000008
【００７８】
［使用性評価方法］
表１〜２に示す液体洗浄剤を市販のチャーミーＭａｇｉｃａ本体ボトルに１００ｇ充填し、プッシュプルキャップを固く閉め、２５℃に調温した。そして、電磁式はかりに５００ｍＬビーカーを置き、この状態を０ｇとなるようにした。その後、ボトルをキャップが上にくるように持ち、そこからボトルを１８０℃反転させ、スクイズ容器を手で押し、内容物をビーカーの中へ排出させ、１０ｇを超えるまでの時間を計測した。下記の評価基準に従って、使用性を評価した。結果を表１〜２に示す。
（評価基準）
◎：１０秒未満。
○：１０秒以上１５秒未満。
×：１５秒以上。
【００７９】
［こぼれにくさの評価方法］
表１〜２に示す液体洗浄剤をルックまめピカ抗菌プラス、トイレのふき取りクリーナー詰め替え用１９０ｍＬパウチに１００ｇ充填し、パウチ上部をヒートシールし、２５℃に調温した。その後、パウチの重さ（ａ）を計測した。そして、パウチの下から３ｃｍ上の場所を持ち、水平にした後、注ぎ口が下になるようにパウチを勢いよく９０°、１秒間傾け、強制的に内容物をこぼれさせた。このときのパウチの重さ（ｂ）を計測し、下記式（式１）より内容物のこぼれた量を算出した。
内容物のこぼれた量（ｇ）＝ａ−ｂ・・・（式１）
これを５回繰り返した平均値を、液体洗浄剤のこぼれ量とする。内容物のこぼれた量の５回の合計量（ｃ）を算出し、比較対象となる同程度の粘度を有する液体洗浄剤のこぼれた合計量（ｄ）を用いて下記式（式２）より、こぼれた量の割合を算出した。下記の評価基準に従って、こぼれにくさを評価した。結果を表１〜２に示す。
こぼれた量の割合（％）＝ｃ÷ｄ×１００・・・（式２）
（評価基準）
◎：こぼれた量の割合が５０％未満。
○：こぼれた量の割合が５０％以上８０％未満。
△：こぼれた量の割合が８０％以上９０％未満。
×：こぼれた量の割合が９０％以上。
【００８０】
［外観の評価方法］
得られた液体洗浄剤組成物を２００ｍＬビーカーに１００ｍＬ注ぎ、下記の基準に従って、目視で外観を評価した。
（評価基準）
◎：透明である。
○：透明だが、僅かに濁りがある。
×：明らかに濁っていて、透明ではない。
【００８１】
表１〜２に示すように、本発明を適用した実施例１〜１２は、使用性、外観において「◎」又は「○」であり、透明の外観を有し、かつ、使用性に優れることが確認できた。こぼれにくさは、「◎」〜「△」で、液体洗浄剤のこぼれ量を抑制できていることが確認できた。
一方、（Ｄ）成分を含有しない比較例１〜４、８〜９、（Ｂ）成分又は（Ｃ）成分を含有しない比較例５〜６、（Ｄ）成分の替わりに（Ｄ’）成分を用いた比較例７は、いずれもこぼれにくさが「×」で、同程度の粘度を有する実施例よりもこぼれた量が多く、液体洗浄剤のこぼれ量を抑制できていないことが確認できた。
【００８２】
これらの結果から、本発明によれば、透明の外観を有し、こぼれにくく、かつ、使用性に優れる液体洗浄剤組成物を提供することができることが分かった。